(57)【要約】【課題】  付近の精密機器などの誤動作をおこさずに、保守対照機器が設置された作業現場とサービスセンタとの間のネットワーク確立を可能とするネットワーク中継システム及びネットワーク中継装置を提供する。【解決手段】  複数個のネットワーク中継装置１からなり、保守作業場所設置機器２１を、公衆網５を介してサービスセンタのサーバ装置４と接続するネットワーク中継システムであって、ネットワーク中継装置１は、それぞれＬＡＮなどの有線通信及び微弱電波による無線通信の通信インターフェースを有しており、保守作業場所設置機器２１との送受信を有線通信で行い、ネットワーク中継装置１間の送受信を微弱電波による無線通信で行う。【選択図】      図１
2006217015.tif 000002
【特許請求の範囲】
【請求項１】
複数個のネットワーク中継装置からなり、保守作業場所設置機器を、公衆網を介してサービスセンタのサーバ装置と接続するネットワーク中継システムであって、
前記ネットワーク中継装置は、それぞれＬＡＮなどの有線通信及び微弱電波による無線通信の通信インターフェースを有しており、前記保守作業場所設置機器との送受信を有線通信で行い、ネットワーク中継装置間の送受信を微弱電波による無線通信で行うことを特徴とするネットワーク中継システム。
【請求項２】
複数個のネットワーク中継装置からなり、保守作業場所設置機器を、公衆網を介してサービスセンタのサーバ装置と接続するネットワーク中継システムであって、
前記ネットワーク中継装置は、それぞれＬＡＮなどの有線通信、微弱電波による無線通信及び赤外線などの光通信の通信インターフェースを有しており、前記保守作業場所設置機器との送受信を有線通信で行い、ネットワーク中継装置間の送受信を微弱電波による無線通信又は光通信で行うことを特徴とするネットワーク中継システム。
【請求項３】
請求項１又は２に記載のネットワーク中継システムにおいて、
前記ネットワーク中継装置は、携帯電話の通信インターフェースを有しており、前記サービスセンタのサーバ装置との送受信を携帯電話で行うことを特徴とするネットワーク中継システム。
【請求項４】
保守作業場所設置機器を、公衆網を介してサービスセンタのサーバ装置と接続する際に使用するネットワーク中継装置であって、
ＬＡＮなどの有線通信、微弱電波による無線通信、赤外線などの光通信及び携帯電話の通信インターフェースを有することを特徴とするネットワーク中継装置。
【請求項５】
請求項４記載のネットワーク中継装置において、
電波シールド用キャップを取付けた微弱無線通信用アンテナを有することを特徴とするネットワーク中継装置。
【発明の詳細な説明】
【技術分野】
【０００１】
本発明は、ネットワーク中継システム及びネットワーク中継装置であり、特に保守作業場所に設置された機器を、公衆網を介してサービスセンタのサーバ装置と接続するネットワーク中継システムに関する。
【背景技術】
【０００２】
保守対象機器が設置された作業現場には、ほとんどの場合、サービスセンタとの間にネットワークが確立されていない。携帯電話を使うことによりネットワークを確立できるが、携帯電話の電波が精密機器に誤動作を起こす等問題があり、使用できなかった。そのため、赤外線を利用することが提案されている（特許文献１参照）が、複数の通信インターフェースを有する中継装置を複数個使用することは考慮していない。
【特許文献１】特開２０００−３２４５６９号公報
【発明の開示】
【発明が解決しようとする課題】
【０００３】
本発明は、従来の問題を解決するものであり、付近の精密機器などの誤動作をおこさずに、保守対象機器が設置された作業現場とサービスセンタとの間のネットワーク確立を可能とするネットワーク中継システム及びネットワーク中継装置を提供することを目的とする。
【課題を解決するための手段】
【０００４】
本発明は、複数個のネットワーク中継装置からなり、保守作業場所設置機器を、公衆網を介してサービスセンタのサーバ装置と接続するネットワーク中継システムであって、前記ネットワーク中継装置は、それぞれＬＡＮなどの有線通信及び微弱電波による無線通信の通信インターフェースを有しており、前記保守作業場所設置機器との送受信を有線通信で行い、ネットワーク中継装置間の送受信を微弱電波による無線通信で行うネットワーク中継システムである。
【０００５】
また、本発明は、複数個のネットワーク中継装置からなり、保守作業場所設置機器を、公衆網を介してサービスセンタのサーバ装置と接続するネットワーク中継システムであって、前記ネットワーク中継装置は、それぞれＬＡＮなどの有線通信、微弱電波による無線通信及び赤外線などの光通信の通信インターフェースを有しており、前記保守作業場所設置機器との送受信を有線通信で行い、ネットワーク中継装置間の送受信を微弱電波による無線通信又は光通信で行うネットワーク中継システムである。
【０００６】
そして、本発明は、前記ネットワーク中継装置は、携帯電話の通信インターフェースを有しており、前記サービスセンタのサーバ装置との送受信を携帯電話で行うネットワーク中継システムである。
【０００７】
更に、本発明は、保守作業場所設置機器を、公衆網を介してサービスセンタのサーバ装置と接続する際に使用するネットワーク中継装置であって、ＬＡＮなどの有線通信、微弱電波による無線通信、赤外線などの光通信及び携帯電話の通信インターフェースを有するネットワーク中継装置である。
【０００８】
また、本発明は、電波シールド用キャップを取付けた微弱無線通信用アンテナを有するネットワーク中継装置である。
【発明の効果】
【０００９】
本発明によれば、付近の精密機器などの誤動作をおこさずに、保守対象機器が設置された作業現場とサービスセンタとの間のネットワーク確立を可能とするシステムを得ることができる。
【発明を実施するための最良の形態】
【００１０】
本発明を実施するための最良の形態を説明する。
本発明のネットワーク中継システム及びネットワーク中継装置の実施例について、図面を用いて説明する。
【実施例１】
【００１１】
実施例１を説明する。本実施例のネットワーク中継システムは、図１に示すように、複数個のネットワーク中継装置からなり、保守対象機器２２が設置された場所に設置された保守作業場所設置ＰＣ（パソコン）２１を、公衆網５を介してサービスセンタのサーバ装置４と接続する。本システムで使用するネットワーク中継装置１は一種類であり、図２に示すように、微弱無線通信用アンテナ１１、光通信用送受信口１２、ＬＡＮ接続口１３、携帯電話接続用端子１４を備えており、微弱電波による無線通信用、光通信用、ＬＡＮ用、及び携帯電話用の各インターフェースを有している。
【００１２】
実施例１のネットワーク中継システムを使用した中継接続方法の一例を説明する。
（１１）携帯電話３１をネットワーク中継装置（Ａ）１ａに接続し、公衆網５を介して、サービスセンタのサーバ装置４にネットワーク接続する。ネットワーク中継装置（Ａ）１ａは携帯電話３１の電波が精密機器に影響しない場所に設置する。
（１２）保守作業場所ＰＣ２１と有線のケーブル２３でネットワーク中継装置（Ｂ）１ｂに接続する。
（１３）ネットワーク中継装置（Ａ）１ａとネットワーク中継装置（Ｂ）１ｂの間に、複数のネットワーク中継装置１ｘ〜１ｚを配し、無線通信でネットワーク接続する。複数個のネットワーク中継装置を置くことで、微弱電波でも通信可能範囲を広くできる。
（１４）上記（１１）〜（１３）により、保守作業場所ＰＣ２１とサービスセンタのサーバ装置４がネットワーク接続されるため、保守作業員は、保守作業場所で、サービスセンタのサーバ装置が格納する最新情報（スケジュール、マニュアル、顧客上納など）を参照できる。
【実施例２】
【００１３】
実施例２について、図３を用いて説明する。本実施例のネットワーク中継システムは、実施例１と同様であり、相違している点を説明する。
（２１）実施例１の（１３）の微弱電波が届かない場所（マシン室など、電磁波シールドで仕切られた部屋が間にある）２４では、赤外線などの光通信を利用し、窓２５を使用してネットワーク中継装置（Ｘ）１ｘとネットワーク中継装置（Ｚ）１ｚをネットワーク接続する。
【実施例３】
【００１４】
実施例３について、図４を用いて説明する。本実施例のネットワーク中継システムは、実施例１と同様であり、相違している点を説明する。
（３１）実施例１の（１１）で、保守用回線３２がある場合は、ルータ経由でネットワーク中継装置（Ａ）１ａに有線のケーブル３３で接続する。
【実施例４】
【００１５】
実施例４について、図５を用いて説明する。本実施例のネットワーク中継システムは、実施例１〜３の第一の応用例である。
（４１）保守対象機器２２のケースを開けた状態で作業する場合は、微弱電波の無線が精密機器に影響を与える可能性があるため、実施例１〜３での保守作業場所ＰＣ２１とネットワーク中継装置（Ｂ）１ｂを接続する有線のケーブル２３に長いケーブルを用いて、微弱電波の影響を小さくする。
【実施例５】
【００１６】
実施例５について、図６を用いて説明する。本実施例のネットワーク中継システムは、実施例１〜３の第二の応用例である。
（５１）実施例４と同様に、保守対象機器２２のケースを開けた状態で作業をする場合は、微弱電波の無線が精密機器に影響を与える可能性があるため、実施例１〜３でのネットワーク中継装置（Ｚ）１ｚとネットワーク中継装置（Ｂ）１ｂの間を微弱電波の出力を特に小さくしてネットワーク接続し、微弱電波の影響を小さくする。
【実施例６】
【００１７】
実施例６について、図７を用いて説明する。本実施例のネットワーク中継システムは、実施例１〜３の第三の応用例である。
（６１）実施例４と同様に、保守対象機器２２のケースを開けた状態で、作業をする場合は、微弱電波の無線が精密機器に影響を与える可能性があるため、実施例１〜３でのネットワーク中継装置（Ｚ）１ｚとネットワーク中継装置（Ｂ）１ｂの間を微弱電波の出力を切って、赤外線などの光通信を使ってネットワーク接続する。この場合、光通信は精密機器に影響を与えることはない。
【実施例７】
【００１８】
実施例７を説明する。本実施例のネットワーク中継装置は、図８に示すように、微弱無線中継通信用アンテナ１１に、電波シールドキャップ１５を付ける。なお、電波に指向性を付けることにより、微弱電波が精密機器に影響を与えるのを防ぐことができる。
【００１９】
以上の実施例において、ネットワーク中継装置は、微弱電波の出力を変える機能をもつ。微弱電波の出力を小さく調整や、切ることもできる。微弱電波を切った場合、赤外線などの光通信を使ってネットワーク接続できる。また、微弱電波の受信状態を表示する機能を持つ。実施例１の（１３）などのようにネットワーク中継装置を設置する時、この微弱電波の受信状態の表示をみて、ネットワークが途中で切れないように設置できる。そして、ネットワーク中継装置は、バッテリーで動作し、置き場所の制限を受けない。更に、ネットワーク中継装置は、バッテリーの残容量を表示する機能を持つ。バッテリーの残容量に応じて、再充電や電池交換ができ、ネットワーク接続を維持できる。
【００２０】
以上実施例で説明したが、本発明の特徴は、以下の通りである。
（８１）保守作業場所ＰＣと、サービスセンタ間のネットワークを、精密機器に影響を与えずに構築できるネットワーク中継装置である。
（８２）ネットワーク中継装置には、微弱電波による無線通信、および赤外線などの光通信、ＬＡＮなどの有線通信、携帯電話接続用端子の複数通信インターフェースを持つ。
【図面の簡単な説明】
【００２１】
【図１】実施例１のネットワーク中継システムの説明図。
【図２】実施例１におけるネットワーク中継装置の説明図。
【図３】実施例２のネットワーク中継システムの説明図。
【図４】実施例３のネットワーク中継システムの説明図。
【図５】実施例４のネットワーク中継システムの説明図。
【図６】実施例５のネットワーク中継システムの説明図。
【図７】実施例６のネットワーク中継システムの説明図。
【図８】ネットワーク中継装置の変形例の説明図。
【符号の説明】
【００２２】
１ａ〜１ｚ  ネットワーク中継装置
１１  微弱無線通信用アンテナ
１２  光通信用送受信口
１３  ＬＡＮ接続口
１４  携帯電話接続用端子
１５  電波シールドキャップ
２１  保守作業場所ＰＣ
２２  保守対象機器
２３  ネットワークケーブル
２４  シールドされた部屋
２５  窓
３１  携帯電話
３２  保守用回線
３３  有線ケーブル
４  サービスセンタのサーバ装置
５  公衆網
【図１】
2006217015.tif 000003
【図２】
2006217015.tif 000004
【図３】
2006217015.tif 000005
【図４】
2006217015.tif 000006
【図５】
2006217015.tif 000007
【図６】
2006217015.tif 000008
【図７】
2006217015.tif 000009
【図８】
2006217015.tif 000010